(57)【要約】【課題】装飾体を確実に固定でき、かつ装飾体を簡単に取り外すことができるランドセルを提供する。【解決手段】ランドセル本体の左右の襠部及び蓋カバーの指定部位と装飾体１７ａとの間に、当該両者をピンポイントで脱着自在に固定する単一のロック具２を設ける。このロック具２に、装飾体１７ａの裏面略中央位置に取り付けた雄側部材２１と、指定部位に取り付けた雌側部材２２とを設ける。雄側部材２１に雄側突条２３を突設する一方、雌側部材２２に雌側環状突条２４を突設する。雄側突条２３の外周面に、凸部２３ａ及び小突起２３ｂを設ける。一方、雌側環状突条２４の内周面に、雄側突条２３の挿通時に凸部２３ａとの干渉を回避する切欠き穴部２４ａを設けるとともに、雄側突条２３の周方向一側への摺動時に小突起２３ｂを係合する係合穴２４ｃを設ける。【選択図】図６
0003174011.tif 000002
【実用新案登録請求の範囲】
【請求項１】
収容部が上方に開口するランドセル本体と、このランドセル本体の上方開口部及び当該ランドセル本体を背負ったときに身体の後方に向くランドセル本体の後面部を覆う蓋カバーと、ランドセル本体を背負うための背負いベルトとを備え、前記ランドセル本体の左右両側に位置する左右の襠部、前記蓋カバー、及び前記背負いベルトの少なくとも一部の指定部位に、使用者の好みに応じた装飾体が取り付けられたランドセルであって、
前記装飾体と前記指定部位との間には、当該両者をピンポイントで脱着自在に固定する単一のロック具が設けられ、このロック具は、前記装飾体及び前記指定部位のいずれか一方に取り付けられた雄側部材と、他方に取り付けられ、前記雄側部材を嵌合、係合又は螺着により固定する雌側部材とを備えていることを特徴とするランドセル。
【請求項２】
前記雄側部材は、外周面が略真円形状に突設された雄側突条を備えている一方、前記雌側部材は、前記雄側突条の外周面に対し周方向へ内周面が摺接する雌側環状突条を備えており、
前記雄側突条の外周面及び前記雌側環状突条の内周面のいずれか一方には複数の突起が設けられている一方、他方には、前記各突起を前記雄側突条又は前記雌側環状突条の周方向一側への相対的な摺動により係合させる複数の係合部が設けられている請求項１に記載のランドセル。
【請求項３】
前記雄側部材は、外周面が略真円形状に突設された雄側突条を備えている一方、前記雌側部材は、前記雄側突条の外周面に対し周方向へ内周面が摺接する雌側環状突条を備えており、
前記雌側環状突条の内周面には、雌ねじ部が設けられている一方、前記雄側突条の外周面には、前記雄側突条又は前記雌側環状突条の周方向一側への相対的な摺動により前記雌ねじ部に対し螺着する雄ねじ部が設けられている請求項１に記載のランドセル。
【請求項４】
前記雄側部材は、頭部を有する雄側ホックを備えている一方、前記雌側部材は、前記頭部が嵌挿される嵌挿穴を有する雌側ホックを備え、前記雄側ホックの頭部と前記雌側ホックの嵌挿穴とを圧入又は吸着により嵌合させている請求項１に記載のランドセル。
【考案の詳細な説明】
【技術分野】
【０００１】
本考案は、使用者の好みに応じた装飾具が脱着自在に装着されるランドセルに関する。
【背景技術】
【０００２】
一般に、ランドセルは、収容部が上方に開口するランドセル本体と、このランドセル本体の上方開口部及び当該ランドセル本体を背負ったときに身体の後方に向くランドセル本体の後面部を覆う蓋カバーと、ランドセル本体を背負うための背負いベルトとを備えている。
【０００３】
ところで、ランドセルを購入するに当たっては、親だけでなく入学祝を兼ねて親せきや友人が購入する場合が多く、使用する児童の意向と価格を参酌しながら商品を選ぶことになる。その場合、一般的なランドセルの販売形態では、工場で製作された商品を完成品とし、これを顧客の求めに応じて販売する販売形態が取られている。そのため、購入したランドセルでは、どうしても量産品としてのイメージがあり、他人と違うものを持たせてやりたいという購買者の要求をかなえることができず、使用者にとっても、他人と違うものを持ちたいという要求を満たすことができていないのが実情である。
【０００４】
そこで、従来より、ランドセルを背負ったときに身体の前方に向く背負いベルトの指定部位に、購入者が選んだ装飾体をかしめ鋲等の固定具や縫着などにより脱着不能に固定したものが知られている（特許文献１参照）。
【０００５】
しかし、装飾体がかしめ鋲等の固定具や縫着などにより固定されていると、在学中の６年間に使用者に飽きがきて、装飾体を取り外したり、異なる装飾体に交換しようとしても、装飾体を簡単には取り外すことができない。
【０００６】
かかる点から、装飾体を粘着剤などにより指定部位に接着して装飾体を取り外すことができるようにしたものも提案されている（特許文献２参照）。
【先行技術文献】
【特許文献】
【０００７】
【特許文献１】特開平２０１１−１９４１１２号公報
【特許文献２】実登第３１６４３７２号公報
【考案の概要】
【考案が解決しようとする課題】
【０００８】
しかしながら、装飾体を粘着剤などにより接着して固定しているものでは、経時的な粘着剤の劣化などによって装飾体が浮き上がったり、装飾体の縁部が剥がれたりするおそれがあり、装飾体を確実に固定することができない。しかも、粘着剤が装飾体の裏面全域に塗布されていると、装飾体を取り外す場合に、粘着剤が指定部位に残らないように気を付けながら徐々に装飾体を剥がさなければならず、装飾体の取り外しが非常に煩わしいものとなる。
【０００９】
本考案は、かかる点に鑑みてなされたものであり、その目的とするところは、装飾体を確実に固定でき、かつ装飾体を簡単に取り外すことができるランドセルを提供することにある。
【００１０】
前記目的を達成するため、本考案では、収容部が上方に開口するランドセル本体と、このランドセル本体の上方開口部及び当該ランドセル本体を背負ったときに身体の後方に向くランドセル本体の後面部を覆う蓋カバーと、ランドセル本体を背負うための背負いベルトとを備え、前記ランドセル本体の左右両側に位置する左右の襠部、前記蓋カバー、及び前記背負いベルトの少なくとも一部の指定部位に、使用者の好みに応じた装飾体が取り付けられたランドセルを前提とする。そして、前記装飾体と前記指定部位との間に、当該両者をピンポイントで脱着自在に固定する単一のロック具を設け、このロック具に、前記装飾体及び前記指定部位のいずれか一方に取り付けられた雄側部材と、他方に取り付けられ、前記雄側部材を嵌合、係合又は螺着により固定する雌側部材とを備えることを特徴としている。
【００１１】
また、前記雄側部材に、外周面が略真円形状に突設された雄側突条を備える一方、前記雌側部材に、前記雄側突条の外周面に対し周方向へ内周面が摺接する雌側環状突条を備える。そして、前記雄側突条の外周面及び前記雌側環状突条の内周面のいずれか一方に複数の突起を設ける一方、他方に、前記各突起を前記雄側突条又は前記雌側環状突条の周方向一側への相対的な摺動により係合させる複数の係合部を設けていてもよい。
【００１２】
また、前記雄側部材に、外周面が略真円形状に突設された雄側突条を備える一方、前記雌側部材に、前記雄側突条の外周面に対し周方向へ内周面が摺接する雌側環状突条を備える。そして、前記雌側環状突条の内周面に、雌ねじ部を設ける一方、前記雄側突条の外周面に、前記雄側突条又は前記雌側環状突条の周方向一側への相対的な摺動により前記雌ねじ部に対し螺着する雄ねじ部を設けていてもよい。
【００１３】
更に、前記雄側部材に、頭部を有する雄側ホックを備える一方、前記雌側部材に、前記頭部が嵌挿される嵌挿穴を有する雌側ホックを備える。そして、前記雄側ホックの頭部と前記雌側ホックの嵌挿穴とを圧入又は吸着により嵌合させていてもよい。
【考案の効果】
【００１４】
以上、要するに、ランドセル本体の左右の襠部、蓋カバー、及び背負いベルトの少なくとも一部の指定部位と装飾体とをピンポイントで脱着自在に固定する単一のロック具に、装飾体及び指定部位の一方に取り付けた雄側部材と、他方に取り付けられ、雄側部材を嵌合、係合又は螺着により固定する雌側部材とを備えることで、装飾体を指定部位に雄側部材と雌側部材との嵌合、係合又は螺着によりピンポイントで確実に固定することができる。また、在学中の６年間に使用者に飽きがきて、装飾体を取り外したり、異なる装飾体に交換する場合には、雄側部材と雌側部材とをピンポイントで脱着自在に固定している単一のロック具を解除すれば、装飾体を指定部位から簡単に取り外すことができる。
【００１５】
また、雄側部材の雄側突条の外周面及び雌側部材の雌側環状突条の内周面のいずれか一方に設けた複数の突起を、他方に設けた複数の係合部に、雄側突条又は雌側環状突条の周方向一側への摺動により係合させることで、雄側突条及び雌側環状突条の一方の突起と他方の係合部との係合によって装飾体を指定部位にピンポイントで確実に固定することができる。また、雄側突条又は雌側環状突条の周方向他側への相対的な摺動によって雄側突条及び雌側環状突条の一方の突起と他方の係合部との係合が解除され、装飾体を指定部位から簡単に取り外すことができる。
【００１６】
また、雄側部材の雄側突条の外周面に設けた雄ねじ部を、雌側部材の雌側環状突条の内周面の雌ねじ部に、雄側突条又は雌側環状突条の周方向一側への相対的な摺動により螺着することで、雄側突条の雄ねじ部と雌側環状突条の雌ねじ部との螺着によって装飾体を指定部位にピンポイントで確実に固定することができる。また、雄側突条又は雌側環状突条の周方向他側への相対的な摺動によって雄側突条と雌側環状突条との螺着が解除され、装飾体を指定部位から簡単に取り外すことができる。
【００１７】
更に、雄側部材の雄側ホックの頭部と、雌側部材の雌側ホックの嵌挿穴とを圧入又は吸着により嵌合させることで、雄側ホックの頭部と雌側ホックの嵌挿穴との嵌合によって装飾体を指定部位にピンポイントで確実に固定することができる。また、雄側ホックと雌側ホックとを引き離すだけで、雄側ホックの頭部と雌側ホックの嵌挿穴との嵌合が解除され、装飾体を指定部位から簡単に取り外すことができる。
【図面の簡単な説明】
【００１８】
【図１】本考案の第１の実施の形態に係るランドセルを斜め後方から見た斜視図である。
【図２】図１のランドセルを斜め前方から見た斜視図である。
【図３】図１及び図２のランドセルに取り付けられる装飾体を表面側から見た正面図であって、（ａ）はハート型の装飾体、（ｂ）はリボン型の装飾体、（ｃ）は花びらII型の装飾体、（ｄ）は花びらＩ型の装飾体をそれぞれ示している。
【図４】図２のランドセルの左側の襠部の指定部位から装飾体を取り外した状態でロック具の雄側部材を示すランドセルの左側面図である。
【図５】図２の指定部位から取り外した装飾体及びロック具の雄側部材を裏面側から見た背面図である。
【図６】図４のロック具の正面図であって、（ａ）は雌側部材の雌側環状突条の各切欠き穴部に雄側部材の雄型突条の各凸部を挿通させた状態を示し、（ｂ）は雌側部材の雌側環状突条の各係合部に雄側部材の雄型突条の各小突起を係合させた状態を示している。
【図７】本考案の第２の実施の形態に係るランドセルの左側の襠部の指定部位から装飾体を取り外した状態でロック具の雄側部材を示すランドセルの左側面図である。
【図８】図７の指定部位から取り外した装飾体及びロック具の雌側部材の背面図である。
【図９】図８の装飾体を指定部位に取り付けた状態でのロック具の正面図である。
【図１０】本考案の第３の実施の形態に係るランドセルの左側の襠部の指定部位から装飾体を取り外した状態でバネホックの雄側部材を示すランドセルの左側面図である。
【図１１】図１０の指定部位から取り外した装飾体及びバネホックの雌側部材の背面図である。
【図１２】図１１の装飾体を指定部位に取り付けた状態でのバネホックの正面図である。
【図１３】本考案の第４の実施の形態に係るランドセルの左側の襠部の指定部位から装飾体を取り外した状態でスナップボタンの雄側部材を示すランドセルの左側面図である。
【図１４】図１３の指定部位から取り外した装飾体及びスナップボタンの雌側部材の背面図である。
【図１５】図１４の装飾体を指定部位に取り付けた状態でのスナップボタンの正面図である。
【図１６】本考案の第５の実施の形態に係るランドセルの左側の襠部の指定部位から装飾体を取り外した状態でマグネットホックの雌側部材を示すランドセルの左側面図である。
【図１７】図１６の指定部位から取り外した装飾体及びマグネットフックの雄側部材の背面図である。
【図１８】図１７の装飾体を指定部位に取り付けた状態でのマグネットホックの正面図である。
【図１９】本考案の第６の実施の形態に係るランドセルの左側の襠部の指定部位から装飾体を取り外した状態でスナップフックの雄側部材を示すランドセルの左側面図である。
【図２０】図１９の指定部位から取り外した装飾体及びスナップフックの雄側部材の正面図である。
【図２１】図２０の装飾体を指定部位に取り付けた状態でのスナップフックの正面図である。
【図２２】本考案の第７の実施の形態に係るランドセルの左側の襠部の指定部位から装飾体を取り外した状態でヒネリ錠前の雄側部材を示すランドセルの左側面図である。
【図２３】図２２の指定部位から取り外した装飾体及びヒネリ錠前の雌側部材の正面図である。
【図２４】図２３の装飾体を指定部位に取り付けた状態でのヒネリ錠前の正面図である。
【図２５】本考案の第８の実施の形態に係るランドセルの左側の襠部の指定部位から装飾体を取り外した状態で差込錠の雌側部材を示すランドセルの左側面図である。
【図２６】図２５の指定部位から取り外した装飾体及び差込錠の雄側部材の正面図である。
【図２７】図２６の指定部位に取り付けた状態での差込錠の正面図である。
【図２８】本考案の第９の実施の形態に係るランドセルの左側の襠部の指定部位から装飾体を取り外した状態でベルト用係合具の雄側部材を示すランドセルの左側面図である。
【図２９】図２８の指定部位から取り外した装飾体及びベルト用係合具の雌側部材の正面図である。
【図３０】図２９の装飾体を指定部位に取り付けた状態でのベルト用係合具の正面図である。
【図３１】本考案の実施の形態の変形例に係る装飾体の正面図であって、（ａ）〜（ｃ）は互いに異なる種々の装飾体をそれぞれ示している。
【考案を実施するための形態】
【００１９】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００２０】
図１及び図２において、１は本考案の第１の実施の形態に係るランドセル１であって、このランドセル１は、収容部１１が上方に開口するランドセル本体１２と、このランドセル本体１２の上方開口部１３及び当該ランドセル本体１２の外側に位置する前面部を覆う蓋カバー１４と、前記ランドセル本体１２を背負うための背負いベルト１５とを備えている。
【００２１】
そして、ランドセル本体１２の左右両側に位置する左右の襠部１６の上部位置の指定部位１６ａ，１６ｂには、使用者の好みに応じたハート型の装飾体１７ａ及びリボン型の装飾体１７ｂが取り付けられている。また、蓋カバー１４の先端位置左右の指定部位１４ａ，１４ｂには、花びらＩ型の装飾体１７ｃ，１７ｃが取り付けられている。各装飾体１７ａ〜１７ｃとしては、ランドセル１と同色でかつ同素材のものが適用されている。なお、各指定部位１４ａ，１４ｂ，１６ａ，１６ｂには、いずれの装飾体１７ａ〜１７ｃが取り付けられていてもよく、図３の（ｄ）に示すような花びらII型の装飾体１７ｄであってもよい。また、各装飾体１７ａ〜１７ｃとしては、ランドセル１と異なる色のものや異なる素材のものが適用されていてもよい。
【００２２】
また、図４及び図５に示すように、各装飾体１７ａ〜１７ｃと各指定部位１４ａ，１４ｂ，１６ａ，１６ｂとの間には、当該両者をピンポイントで脱着自在に固定する単一のロック具２がそれぞれ設けられている。この場合、各ロック具２は、同一構成となるので、装飾体１７ａと左側の襠部１６の指定部位１６ａとの間に設けられるロック具２についてのみ説明する。
【００２３】
ロック具２は、装飾体１７ａの裏面略中央位置に取り付けられた雄側部材２１と、指定部位１６ａに取り付けられ、雄側部材２１を係合により固定する雌側部材２２とを備えている。雄側部材２１は、略円板状の装飾具１８を頭部に有するリベットにより各装飾体１７ａ〜１７ｃの表面側からかしめられて固定されている。また、雌側部材２２は、各指定部位１４ａ，１４ｂ，１６ａ，１６ｂの裏面側からリベット（図示せず）によりかしめられて固定されている。
【００２４】
更に、図６の（ａ）及び（ｂ）に示すように、雄側部材２１は、外方（雌側部材２２側）へ略真円形状に突設された雄側突条２３を備えている。一方、雌側部材２２は、外方（雄側部材２１側）へ円環状に突設され、その内周面が雄側突条２３の外周面に対し摺接する雌側環状突条２４を備えている。なお、雄側部材２１に略真円形状に突設させた雄側突条２３を設けたが、雄側部材２１に円環状に突設された雄側環状突条が設けられていてもよい。
【００２５】
雄側突条２３の外周面には、互いに略１８０°隔てた位置でそれぞれ半径方向外方へ突出する凸部２３ａと、この各凸部２３ａの基部側（図６では紙面奥側）にそれぞれ連設され、各凸部２３ａよりも突出量及び周方向の幅が共に小さい突起としての小突起２３ｂとが設けられている。
【００２６】
一方、雌側環状突条２４の内周面には、その内周面に対し外周面を摺接させるように雄側突条２３を挿通させる際に当該雄型突条２３の各凸部２３ａとの干渉を回避する切欠き穴部２４ａがそれぞれ凹設されている。この各切欠き穴部２４ａの周方向一側（図６では反時計回りの方向）の基部側（図６では紙面奥側）には、凸部２３ａを雌側環状突条２４の周方向一側に摺動案内する案内溝２４ｂが連設されている。また、各切欠き穴部２４ａの周方向一側の先部側（図６では紙面手前側）には、雄側突条２３の小突起２３ｂを係合させる係合部としての係合穴２４ｃが設けられている。この場合、案内溝２４ｂは、雌側環状突条２４の基端側（図６では紙面奥側）に開口しており、加工が容易に行えるようにしている。
【００２７】
そして、ロック具２は、雄側部材２１の雄側突条２３を雌側部材２２の雌側環状突条２４に挿通させて周方向一側に摺動させた際に、各切欠き穴部２４ａに挿通された凸部２３ａを案内溝２４ｂに沿って摺動させて小突起２３ｂを係合穴２４ｃに係合することで、装飾体１７ａが指定部位１６ａにピンポイントで固定される。一方、雄側部材２１の雄側突条２３を雌側部材２２の雌側環状突条２４に対し周方向他側（図６では時計回りの方向）に摺動させると、各小突起２３ｂが係合穴２４ｃから離脱して各凸部２３ａが切欠き穴部２４ａに挿通された位置まで戻されることでロック具２による固定が解除され、雄側部材２１の雄側突条２３を雌側部材２２の雌側環状突条２４から引き出すことで、装飾体１７ａが指定部位１６ａから簡単に取り外される。
【００２８】
このように、ロック具２によれば、雄側部材２１の雄側突条２３を雌側部材２２の雌側環状突条２４に挿通させて周方向一側に摺動させた際に、各切欠き穴部２４ａに挿通された凸部２３ａを案内溝２４ｂに沿って摺動させて小突起２３ｂを係合穴２４ｃに係合することで、装飾体１７ａを指定部位１６ａにピンポイントで確実に固定することができる。
また、在学中の６年間に使用者に飽きがきて、装飾体１７ａを取り外したり、異なる装飾体１７ｄなどに交換する場合には、雄側部材２１の雄側突条２３を雌側部材２２の雌側環状突条２４に対し周方向他側に摺動させれば、各小突起２３ｂが係合穴２４ｃから離脱して各凸部２３ａが切欠き穴部２４ａに挿通された位置まで戻されてロック具２による固定が解除され、雄側部材２１の雄側突条２３を雌側部材２２の雌側環状突条２４から引き出すことで、装飾体１７ａを指定部位１６ａから簡単に取り外すことができる。
【００２９】
次に、本考案の第２の実施の形態を図７〜図９に基づいて説明する。
【００３０】
この実施の形態では、ロック具の構成を変更している。なお、ロック具を除くその他の構成は、前記第１の実施の形態と同じであり、同一部分については同じ符号を付してその詳細な説明は省略する。この実施の形態では、装飾体１７ａと左側の襠部１６の指定部位１６ａとの間に設けられるロック具についてのみ説明する。
【００３１】
すなわち、図７〜図９に示すように、ロック具３は、装飾体１７ａの裏面略中央位置に取り付けられた雌側部材３１と、指定部位１６ａに取り付けられた雄側部材３２とを備えている。雌側部材３１は、装飾体１７ａの表面側から略円板状の装飾具１８を頭部に有するリベットによりかしめられて固定されている。また、雄側部材３２は、指定部位１６ａの裏面側からリベット（図示せず）によりかしめられて固定されている。
【００３２】
更に、雌側部材３１は、外方（雄側部材３２側）へ円環状に突設された雌側環状突条３３を備えている。一方、雄側部材３２は、外方（雌側部材３１側）へ円環状に突設され、その内周面が雌側環状突条３３の外周面に対し周方向へ摺接する雄側突条としての雄側環状突条３４を備えている。なお、雄側部材３２に円環状に突設させた雄側環状突条３４を設けたが、雄側部材３２に略真円形状に突設された雄側突条が設けられていてもよい。
【００３３】
雌側環状突条３３の内周面には、雌ねじ部３５が形成されている。一方、雄型環状突条３４の外周面には、雌側環状突条３３の周方向一側（図９では時計回りの方向）への摺動により雌ねじ部３５に対し螺着する雄ねじ部３６が形成されている。
【００３４】
そして、ロック具３は、雄側部材３２の雄側環状突条３４に雌側部材３１の雌側環状突条３３を挿通させ、この状態で、雌側環状突条３３を周方向一側に摺動させることで、雌ねじ部３５と雄ねじ部３６とが螺着し、装飾体１７ａが指定部位１６ａにピンポイントで固定される。一方、雌側環状突条３３を周方向他側（図９では反時計回りの方向）に摺動させると、雌ねじ部３５と雄ねじ部３６との螺着による固定が解除され、装飾体１７ａが指定部位１６ａから取り外される。
【００３５】
このように、ロック具３によれば、本実施の形態では、雄側部材３２の雄側環状突条３４に雌側部材３１の雌側環状突条３３を挿通させた状態で、雌側環状突条３３を周方向一側に摺動させれば、雌ねじ部３５と雄ねじ部３６とが螺着し、装飾体１７ａを指定部位１６ａにピンポイントで確実に固定することができる。
また、在学中の６年間に使用者に飽きがきて、装飾体１７ａを取り外したり、異なる装飾体１７ｄなどに交換する場合には、雌側環状突条３３を周方向他側に摺動させれば、雌ねじ部３５と雄ねじ部３６との螺着による固定が解除され、装飾体１７ａを指定部位１６ａから簡単に取り外すことができる。
【００３６】
次に、本考案の第３の実施の形態を図１０〜図１２に基づいて説明する。
【００３７】
この実施の形態では、ロック具の構成を変更している。なお、ロック具を除くその他の構成は、前記第１の実施の形態と同じであり、同一部分については同じ符号を付してその詳細な説明は省略する。この実施の形態においても、装飾体１７ａと左側の襠部１６の指定部位１６ａとの間に設けられるロック具についてのみ説明する。
【００３８】
すなわち、図１０〜図１２に示すように、ロック具としては、バネホック４が適用されている。このバネホック４は、装飾体１７ａの裏面略中央位置に取り付けられた雌側部材４１と、指定部位１６ａに取り付けられた雄側部材４２とを備えている。雌側部材４１は、装飾体１７ａの表面側から略円板状の装飾具１８を頭部に有するリベットによりかしめられて固定されている。また、雄側部材４２は、指定部位１６ａの裏面側からリベット（図示せず）によりかしめられて固定されている。
【００３９】
更に、雄側部材４２は、外方（雌側部材４１側）へ突出する略円環形状の頭部４３ａを有する雄側ホック４３を備えている。この頭部４３ａは、突出端が半径方向外方へ若干拡径されている。一方、雌側部材４１は、頭部４３ａが嵌挿される嵌挿溝４４ａ（嵌挿穴）を内周面側に有する略円環形状の雌側ホック４４を備えている。
【００４０】
そして、バネホック４は、雄側ホック４３の頭部４３ａを雌側ホック４４の嵌挿溝４４ａに対し圧入により嵌合させて、装飾体１７ａを指定部位１６ａにピンポイントで脱着自在に固定している。一方、雄側ホック４３ａを雌側ホック４４から引き離せば、雄側ホック４３の頭部４３ａと雌側ホック４４の嵌挿穴４４ａとの嵌合が解除され、装飾体１７ａが指定部位１６ａから取り外される。
【００４１】
このように、バネホック４によれば、雌側ホック４４の嵌挿溝４４ａを雄側ホック４３の頭部４３ａに対し圧入により嵌合させることで、雌側ホック４４の嵌挿溝４４ａと雄側ホック４３の頭部４３ａとの嵌合によって装飾体１７ａを指定部位１６ａにピンポイントで確実に固定することができる。また、雌側ホック４４を雄側ホック４３から引き離すだけで、雄側ホック４３の頭部４３ａと雌側ホック４４の嵌挿穴４４ａとの嵌合が解除され、装飾体１７ａを簡単に取り外すことができる。
【００４２】
次に、本考案の第４の実施の形態を図１３〜図１５に基づいて説明する。
【００４３】
この実施の形態では、ロック具の構成を変更している。なお、ロック具を除くその他の構成は、前記第１の実施の形態と同じであり、同一部分については同じ符号を付してその詳細な説明は省略する。この実施の形態においても、装飾体１７ａと左側の襠部１６の指定部位１６ａとの間に設けられるロック具についてのみ説明する。
【００４４】
すなわち、図１３〜図１５に示すように、ロック具としては、スナップボタン５が適用されている。このスナップボタン５は、装飾体１７ａの裏面略中央位置に取り付けられた雌側部材５１と、指定部位１６ａに取り付けられた雄側部材５２とを備えている。雌側部材５１は、装飾体１７ａの表面側から略円板状の装飾具１８を頭部に有するリベットによりかしめられて固定されている。また、雄側部材５２は、指定部位１６ａの裏面側からリベット（図示せず）によりかしめられて固定されている。
【００４５】
更に、雄側部材５２は、頭部５３ａを有する雄側ホック５３を備えている。一方、雌側部材５１は、頭部５３ａが嵌挿される嵌挿穴５４ａを有する雌側ホック５４を備えている。この嵌挿穴５４ａは、互いに略平行なバネ材５４ｂによって開口面が仕切られている。
【００４６】
そして、スナップボタン５は、雄側ホック５３の頭部５３ａを雌側ホック５４の嵌挿穴５４ａに対し圧入により各バネ材５４ｂを半径方向外方へ押し退けながら嵌合させ、装飾体１７ａを指定部位１６ａにピンポイントで脱着自在に固定している。一方、雌側ホック５４を雄側ホック５３から引き離せば、雄側ホック５３の頭部５３ａと雌側ホック５４の嵌挿穴５４ａとの嵌合が解除され、装飾体１７ａが取り外される。
【００４７】
このように、スナップボタン５によれば、雄側ホック５３の頭部５３ａと、雌側ホック５４の嵌挿穴５４ａとを圧入により嵌合させることで、雄側ホック５３の頭部５３ａと雌側ホック５４の嵌挿穴５４ａとの嵌合によって装飾体１７ａを指定部位１６ａにピンポイントで確実に固定することができる。また、雌側ホック５４を雄側ホック５３から引き離すだけで、雄側ホック５３の頭部５３ａと雌側ホック５４の嵌挿穴５４ａとの嵌合が解除され、装飾体１７ａを簡単に取り外すことができる。
【００４８】
次に、本考案の第５の実施の形態を図１６〜図１８に基づいて説明する。
【００４９】
この実施の形態では、ロック具の構成を変更している。なお、ロック具を除くその他の構成は、前記第１の実施の形態と同じであり、同一部分については同じ符号を付してその詳細な説明は省略する。この実施の形態においても、装飾体１７ａと左側の襠部１６の指定部位１６ａとの間に設けられるロック具についてのみ説明する。
【００５０】
すなわち、図１６〜図１８に示すように、ロック具としては、マグネットホック６が適用されている。このマグネットホック６は、装飾体１７ａの裏面略中央位置に取り付けられた雄側部材６１と、指定部位１６ａに取り付けられた雌側部材６２とを備えている。雄側部材６１は、装飾体１７ａの表面側から略円板状の装飾具１８を頭部に有するリベットによりかしめられて固定されている。また、雌側部材６２は、指定部位１６ａの裏面側からリベット（図示せず）によりかしめられて固定されている。
【００５１】
更に、雄側部材６１は、頭部６３ａを有する雄側ホック６３を備えている。一方、雌側部材６２は、頭部６３ａが嵌挿される嵌挿穴６４ａを有する雌側ホック６４を備えている。また、雄側ホック６３と雌側ホック６４とには、互いに極性が異なる磁石（図示せず）がそれぞれ内装されている。
【００５２】
そして、マグネットホック６は、雄側ホック６３と雌側ホック６４とが互いに磁力で吸着されて、雄側ホック６３の頭部６３ａと雌側ホック６４の嵌挿穴６４ａとが嵌合し、装飾体１７ａを指定部位１６ａにピンポイントで脱着自在に固定している。一方、雌側ホック６４を雄側ホック６３から引き離せば、雄側ホック６３の頭部６３ａと雌側ホック６４の嵌挿穴６４ａとの磁力による嵌合が解除され、装飾体１７ａが取り外される。
【００５３】
このように、マグネットホック６によれば、雄側ホック６３の頭部６３ａと、雌側ホック６４の嵌挿穴６４ａとを磁力により吸着させて嵌合することで、雄側ホック６３の頭部６３ａと雌側ホック６４の嵌挿穴６４ａとの磁力による嵌合によって装飾体１７ａを指定部位１６ａにピンポイントで確実に固定することができる。また、雌側ホック６４を雄側ホック６３から引き離すだけで、雄側ホック６３の頭部６３ａと雌側ホック６４の嵌挿穴６４ａとの磁力による嵌合が解除され、装飾体１７ａを簡単に取り外すことができる。
【００５４】
次に、本考案の第６の実施の形態を図１９〜図２１に基づいて説明する。
【００５５】
この実施の形態では、ロック具の構成を変更している。なお、ロック具を除くその他の構成は、前記第１の実施の形態と同じであり、同一部分については同じ符号を付してその詳細な説明は省略する。この実施の形態においても、装飾体１７ａと左側の襠部１６の指定部位１６ａとの間に設けられるロック具についてのみ説明する。
【００５６】
すなわち、図１９〜図２１に示すように、ロック具としては、スナップフック７が適用されている。このスナップフック７は、装飾体１７ａに取り付けられた雄側部材としてのスナップフック本体７１と、指定部位１６ａに取り付けられた雌側部材としてのリング材７２とを備えている。スナップフック本体７１は、装飾体１７ａの上端に取り付けられ、装飾体１７ａを吊下するようにしている。また、リング材７２は、指定部位１６ａの裏面側からリベット７０によりかしめられたホルダ７３に取り付けられている。
【００５７】
そして、スナップフック本体７１は、フック部７１１を開閉させる操作部７１２を有し、操作部７１２を操作してフック部７１１を開放させることで、リング材７２に係合し、装飾体１７ａを指定部位１６ａにピンポイントで脱着自在に固定している。一方、フック部７１１を開放させてリング材７２から取り外せば、リング材７２との係合が解除され、装飾体１７ａが指定部位１６ａから取り外される。
【００５８】
このように、スナップフック７によれば、スナップフック本体７１の操作部７１２を操作してフック部７１１を開放させることでリング材７２に係合し、装飾体１７ａを指定部位１６ａにピンポイントで確実に固定することができる。また、フック部７１１を開放させてリング材７２から取り外すだけで、リング材７２との係合が解除され、装飾体１７ａを簡単に取り外すことができる。
【００５９】
次に、本考案の第７の実施の形態を図２２〜図２４に基づいて説明する。
【００６０】
この実施の形態では、ロック具の構成を変更している。なお、ロック具を除くその他の構成は、前記第１の実施の形態と同じであり、同一部分については同じ符号を付してその詳細な説明は省略する。この実施の形態においても、装飾体１７ａと左側の襠部１６の指定部位１６ａとの間に設けられるロック具についてのみ説明する。
【００６１】
すなわち、図２２〜図２４に示すように、ロック具としては、ヒネリ錠前８が適用されている。このヒネリ錠前８は、装飾体１７ａの略中央位置に取り付けられた雌側部材８１と、指定部位１６ａに取り付けられた雄側部材８２とを備えている。
【００６２】
雌側部材８１は、装飾体１７ａの表裏両面を拘束する拘束片８１１（図２３及び図２４では表面側のもののみ示す）を有しているとともに、その拘束片８１１の中心を装飾体１７ａと共に表裏面方向に貫通する横長の貫通孔８１２を有している。また、雄側部材８２は、指定部位１６ａの裏面側からリベット（図示せず）によりかしめられて取り付けられた基板８２１と、この基板８２１の中心より外方へ突出し、雌側部材８１の貫通孔８１２に嵌挿される嵌合部８２２と、この嵌合部８２２の先端にその突出方向へ延びる軸線回りに回動自在に支持され、水平位置（図２２に示す位置）と垂直位置（図２４に示す位置）とに変換される長方形状の頭部８２３とを有している。この場合、基板８２１と頭部８２３との間隔つまり嵌合部８２２の突出量は、雌側部材８１の拘束片８１１同士の間隔と略一致している。
【００６３】
そして、雌側部材８１は、雄側部材８２の頭部８２３が水平位置に変換されているときに嵌合部８２２に対し頭部８２３を介して貫通孔８１２が嵌挿され、頭部８２３を垂直位置に変換することで、抜け落ち不能に係合し、これによって、装飾体１７ａが指定部位１６ａにピンポイントで脱着自在に固定される。一方、雄側部材８２の頭部８２３を水平位置に変換すれば、雄側部材８２の基板８２１と頭部８２３との間での雌側部材８１の挟持による係合が解除され、頭部８２３を介して雌側部材８１を離脱させることで、装飾体１７ａが取り外される。
【００６４】
このように、雄側部材８２の頭部８２３を水平位置に変換した状態で、嵌合部８２２に対し頭部８２３を介して雌側部材８１の貫通孔８１２を嵌挿し、頭部８２３を垂直位置に変換することで、雌側部材８１が雄側部材８２の基板８２１と頭部８２３との間で挟持されて抜け落ち不能に係合し、装飾体１７ａを指定部位１６ａにピンポイントで確実に固定することができる。また、雄側部材８２の頭部８２３を水平位置に変換すると、雄側部材８２の基板８２１と頭部８２３との間での雌側部材８１の挟持による係合が解除され、頭部８２３を介して雌側部材８１を離脱させれば、装飾体１７ａを簡単に取り外すことができる。
【００６５】
次に、本考案の第８の実施の形態を図２５〜図２７に基づいて説明する。
【００６６】
この実施の形態では、ロック具の構成を変更している。なお、ロック具を除くその他の構成は、前記第１の実施の形態と同じであり、同一部分については同じ符号を付してその詳細な説明は省略する。この実施の形態においても、装飾体１７ａと左側の襠部１６の指定部位１６ａとの間に設けられるロック具についてのみ説明する。
【００６７】
すなわち、図２５〜図２７に示すように、ロック具としては、差込錠８４が適用されている。この差込錠８４は、装飾体１７ａの略中央位置に取り付けられた雄側部材８５と、指定部位１６ａに取り付けられた雌側部材８６とを備えている。
【００６８】
雄側部材８５は、装飾体１７ａの下端に基端（図２６では上端）が固着され、先端（図２６では下端）にフック部８７１を有するフック部材８７と、フック部８７１の左右両側方から外方へ進退自在に突出する爪８７２とを備えている。また、雌側部材８６は、指定部位１６ａの裏面側からリベット（図示せず）によりかしめられて取り付けられた基板８６１と、この基板８６１の上下方向略中央部において左右両端が基板８６１に対し外方へ突出するとともにその突出端同士を当該基板８６１より外方へ離間した状態で左右方向へ延びて連結し、雄側部材８５のフック部８７１が上方から挿通させて係合する係合片８６２とを備えている。
【００６９】
各爪８７２は、雄側部材８５のフック部８７１が係合片８６２に係合する際に内方（フック部８７１側）に没入し、フック部８７１が係合片８６２を通過した際に元通りに進出して係合片８６２に対するフック部８７１の離脱を規制している。この場合、基板８６１に対する係合片８６２の離間量は、フック部材８７のフック部８７１の厚みと略一致している。
【００７０】
そして、雄側部材８５は、フック部８７１を雌側部材８６の係合片８６２に対し上方から挿通させて係合すると、係合片８６２を通過する際に内方へ没入していた爪８７２が元通りに進出して係合片８６２に対するフック部８７１の離脱が規制され、これによって、装飾体１７ａが指定部位１６ａにピンポイントで固定される。一方、各弾性爪８７２を内方へ没入させれば、係合片８６２に対するフック部８７１の離脱が許容され、雌側部材８６の係合片８６２に対する雄側部材８５のフック部８７１の係合が解除され、雄側部材８５のフック部８７１を上方へ引き上げることで、装飾体１７ａが取り外される。
【００７１】
このように、差込錠８４によれば、雄側部材８５のフック部８７１を雌側部材８６の係合片８６２に対し上方から挿通させて係合した際に内方へ没入していた爪８７２が元通りに進出して係合片８６２に対するフック部８７１の離脱を規制することで、装飾体１７ａを指定部位１６ａにピンポイントで確実に固定することができる。また、各弾性爪８７２を内方へ没入させると、係合片８６２に対するフック部８７１の離脱が許容されて、雌側部材８６の係合片８６２に対する雄側部材８５のフック部８７１の係合が解除され、雄側部材８５のフック部８７１を上方へ引き上げれば、装飾体１７ａを簡単に取り外すことができる。
【００７２】
次に、本考案の第９の実施の形態を図２８〜図３０に基づいて説明する。
【００７３】
この実施の形態では、ロック具の構成を変更している。なお、ロック具を除くその他の構成は、前記第１の実施の形態と同じであり、同一部分については同じ符号を付してその詳細な説明は省略する。この実施の形態においても、装飾体１７ａと左側の襠部１６の指定部位１６ａとの間に設けられるロック具についてのみ説明する。
【００７４】
すなわち、図２８〜図３０に示すように、ロック具としては、ベルト
用係合具９が適用されている。このベルト用係合具９は、指定部位１６ａに取り付けられた雄側部材９１と、装飾体１７ａに取り付けられた雌側部材９２とを備えている。
【００７５】
雄側部材９１は、指定部位１６ａに上端が縫着された指定部位側ベルト９３と、この指定部位側ベルト９３の下端に取り付けられたバックル９４とを備えている。また、雌側部材９２は、装飾体１７ａの上端に下端が縫着されて上方へ延びる装飾体側ベルト９５と、この装飾体側ベルト９５の上端側に設けられ、バックル９４の留め金９４１を挿通させて係合するベルト孔９５１とを備えている。
【００７６】
そして、雌側部材９２は、その装飾体側ベルト９５の上端を雄側部材９１のバックル９４に挿通してからベルト孔９５１にバックル９４の留め金９４１を挿通させることで、雄側部材９１に係合され、これによって、装飾体１７ａが指定部位１６ａにピンポイントで固定される。一方、雌側部材９２の装飾体側ベルト９５の上端を引き上げてベルト孔９５１からバックル９４の留め金９４１を抜き取れば、雄側部材９１と雌側部材９２との係合が解除され、装飾体側ベルト９５をバックル９４から離脱させることで、装飾体１７ａが取り外される。
【００７７】
このように、ベルト用係合具９によれば、雌側部材９２の装飾体側ベルト９５の上端を雄側部材９１のバックル９４に挿通してからベルト孔９５１にバックル９４の留め金９４１を挿通させることで、雄側部材９１と雌側部材９２とが係合し、装飾体１７ａを指定部位１６ａにピンポイントで確実に固定することができる。また、雌側部材９２の装飾体側ベルト９５の上端を引き上げてベルト孔９５１からバックル９４の留め金９４１を抜き取ることで、雄側部材９１と雌側部材９２との係合が解除され、装飾体側ベルト９５をバックル９４から離脱させれば、装飾体１７ａを簡単に取り外すことができる。
【００７８】
なお、本考案は、前記各実施の形態に限定されるものではなく、その他種々の変形例を包含している。例えば、前記各実施の形態では、ハート型の装飾体１７ａ、リボン型の装飾体１７ｂ、及び花びらＩ型，II型の装飾体１７ｃ，１７ｄを固定する場合について述べたが、図３１の（ａ）〜（ｃ）に示すように、メッキ処理などが施されたバッチタイプの装飾体１９ａ〜１９ｃなどを指定部位に固定する場合にも適用できるのはいうまでもない。
【００７９】
また、前記各実施の形態では、ランドセル本体１２の左右の襠部１６の指定部位１６ａ，１６ｂ及び蓋カバー１４の指定部位１４ａ，１４ｂに装飾体１７ａ〜１７ｄを固定したが、ランドセルを背負ったときに前方向きとなる背負いベルトの指定部位などにも装飾体が固定されていてもよい。
【符号の説明】
【００８０】
１          ランドセル
１１        収容部
１２        ランドセル本体
１３        上方開口部
１４        蓋カバー
１４ａ      指定部位
１４ｂ      指定部位
１５        背負いベルト
１６        襠部
１６ａ      指定部位
１６ｂ      指定部位
１７ａ〜１７ｄ    装飾体
１９ａ〜１９ｃ    装飾体
２          ロック具
２１        雄側部材
２２        雌側部材
２３        雄側突条
２３ｂ      小突起（突起）
２４        雌側環状突条
２４ｃ      係合穴（係合部）
３          ロック具
３１        雌側部材
３２        雄側部材
３３        雌側環状突条
３４        雄側環状突条（雄側突条）
３５        雌ねじ部
３６        雄ねじ部
４          バネホック（ロック具）
４１        雌側部材
４２        雄側部材
４３        雄側ホック
４３ａ      頭部
４４        雌側ホック
４４ａ      嵌挿溝（嵌挿穴）
５          スナップボタン（ロック具）
５１        雌側部材
５２        雄側部材
５３        雄側ホック
５３ａ      頭部
５４        雌側ホック
５４ａ      嵌挿穴
６          マグネットホック（ロック具）
６１        雄側部材
６２        雌側部材
６３        雄側ホック
６３ａ      頭部
６４        雌側ホック
６４ａ      嵌挿穴
７          スナップフック（ロック具）
７１        スナップフック本体（雄側部材）
７２        リング材（雌側部材）
８          ヒネリ錠前（ロック具）
８１        雌側部材
８２        雄側部材
８４        差込錠（ロック具）
８５        雄側部材
８６        雌側部材
９          ベルト用係合具（ロック具）
９１        雄側部材
９２        雌側部材
【図１】
0003174011.tif 000003
【図２】
0003174011.tif 000004
【図３】
0003174011.tif 000005
【図４】
0003174011.tif 000006
【図５】
0003174011.tif 000007
【図６】
0003174011.tif 000008
【図７】
0003174011.tif 000009
【図８】
0003174011.tif 000010
【図９】
0003174011.tif 000011
【図１０】
0003174011.tif 000012
【図１１】
0003174011.tif 000013
【図１２】
0003174011.tif 000014
【図１３】
0003174011.tif 000015
【図１４】
0003174011.tif 000016
【図１５】
0003174011.tif 000017
【図１６】
0003174011.tif 000018
【図１７】
0003174011.tif 000019
【図１８】
0003174011.tif 000020
【図１９】
0003174011.tif 000021
【図２０】
0003174011.tif 000022
【図２１】
0003174011.tif 000023
【図２２】
0003174011.tif 000024
【図２３】
0003174011.tif 000025
【図２４】
0003174011.tif 000026
【図２５】
0003174011.tif 000027
【図２６】
0003174011.tif 000028
【図２７】
0003174011.tif 000029
【図２８】
0003174011.tif 000030
【図２９】
0003174011.tif 000031
【図３０】
0003174011.tif 000032
【図３１】
0003174011.tif 000033